(57)【要約】【課題】収納性や使い勝手のよい車両用の暖房座装置を提供する。【解決手段】面状発熱体２をシート１背面に配設した場合、面状発熱体２に通電すると輻射熱により後席乗員の上体や下腿部、足元等を暖房することができる。一方、係合部５１、５４を外して面状発熱体２の上側の一部を離脱すると、離脱した面状発熱体２の上側の一部は後席乗員の膝掛として使用可能となる。この状態で面状発熱体２に通電すると、大腿部に対しては伝導熱による効率の良い暖房が、下腿部〜足元に対しては輻射熱による暖房が可能となり、収納性がよく、シンプルな構成で多様な暖房形態が実現できる。【選択図】図１
2009113620.tif 000002
【特許請求の範囲】
【請求項１】
車両の内装具に配設され、その少なくとも一部が前記内装具に着脱可能な面状発熱体を備え、前記内装具から前記面状発熱体の少なくとも一部を離脱すると、離脱した部分の前記面状発熱体が、離脱前後で人体の異なる部位を加熱可能な車両用暖房装置。
【請求項２】
面状発熱体は車両の前席シートの後席対向面に配設され、面状発熱体の上側の一部を離脱すると後席乗員の膝掛けとして使用可能な請求項１記載の車両用暖房装置。
【請求項３】
面状発熱体は、車両の前席シートの後席対向面に配設された収納可能なトレイに配設され、後席乗員がトレイを使用する際に前記面状発熱体が後席乗員の大腿部を暖房することが可能な請求項１記載の車両用暖房装置。
【請求項４】
トレイ収納時は面状発熱体の通電を行わない請求項３記載の車両用暖房装置。
【請求項５】
面状発熱体は車両の座席の背当てに配設され、前記背当てはその少なくとも一部を跳ね上げて肩当てとして使用可能な請求項１記載の車両用暖房装置。
【発明の詳細な説明】
【技術分野】
【０００１】
本発明は、車両に用いられる暖房座装置に関するものである。
【背景技術】
【０００２】
従来の車両用暖房座装置としては、電気ヒータ線により発熱する車両用の電気膝掛け具が考案されている（例えば特許文献１参照）。また、膝掛けをアームレスト内に巻き取り可能にした膝掛け付きシートも発明されている（例えば特許文献２参照）。
【特許文献１】実用新案登録第３０３０５３８号公報
【特許文献２】特開昭５８−０５００２３号公報
【発明の開示】
【発明が解決しようとする課題】
【０００３】
ところが、特許文献１の車両用の電気膝掛け具は使用しない時に片付ける構成がなく収納性が悪かった。また、特許文献２の膝掛け付きシートは、膝掛けを巻き取り可能としたため収納性は向上したが、巻き取り構成が複雑で実用性に難点があった。
【０００４】
本発明は上記状況に鑑みてなされたもので、収納性や使い勝手のよい車両用の暖房座装置を提供することを目的とする。
【課題を解決するための手段】
【０００５】
前記従来の課題を解決するために、本発明に係る車両用暖房装置は、車両の内装具に配設され、その少なくとも一部が前記内装具に着脱可能な面状発熱体を備え、前記内装具から前記面状発熱体の少なくとも一部を離脱すると、離脱した部分の前記面状発熱体が、離脱前後で人体の異なる部位を加熱可能とすることを特徴とする。
【０００６】
この車両用暖房装置では、内装具から前記面状発熱体の少なくとも一部を離脱すると、離脱した部分の前記面状発熱体が、離脱前後で人体の異なる部位を加熱可能とする。
【発明の効果】
【０００７】
本発明の車両用暖房装置は、内装具から前記面状発熱体の少なくとも一部を離脱すると、離脱した部分の前記面状発熱体が、離脱前後で人体の異なる部位を加熱可能となるもので、もともと内装具に配設されているので収納性がよく、シンプルな構成で乗員の暖房が可能となる。
【発明を実施するための最良の形態】
【０００８】
第１の発明は、車両の内装具に配設され、その少なくとも一部が前記内装具に着脱可能な面状発熱体を備え、前記内装具から前記面状発熱体の少なくとも一部を離脱すると、離脱した部分の前記面状発熱体が、離脱前後で人体の異なる部位を加熱可能なことを特徴とするもので、内装具から前記面状発熱体の少なくとも一部を離脱すると、離脱した部分の前記面状発熱体が、離脱前後で人体の異なる部位を加熱可能となるもので、もともと内装具に配設されているので収納性がよく、シンプルな構成で乗員の暖房が可能となる。
【０００９】
第２の発明は、特に第１の発明の面状発熱体が、車両の前席シートの後席対向面に配設され、面状発熱体の上側の一部を離脱すると後席乗員の膝掛けとして使用可能なものである。
【００１０】
第３の発明は、特に第１の発明の面状発熱体が、面状発熱体は、車両の前席シートの後
席対向面に配設された収納可能なトレイに配設され、後席乗員がトレイを使用する際に前記面状発熱体が後席乗員の大腿部を暖房することが可能なものである。
【００１１】
第４の発明は、特に第３の発明の車両用暖房装置で、トレイ収納時は面状発熱体の通電を行わないものである。
【００１２】
第５の発明は、特に第１の発明の面状発熱体が、車両の座席の背当てに配設され、前記背当てはその少なくとも一部を跳ね上げて肩当てとして使用可能なものである。
【００１３】
以下、本発明の実施の形態について、図面を参照しながら説明する。なお、この実施の形態によって本発明が限定されるものではない。
【００１４】
（実施の形態１）
本発明の第１の実施の形態を図１を参照して説明する。
【００１５】
図１（ａ）は本発明の第１の実施の形態における車両用暖房装置の外観図である。図中、シート１の背面には面状発熱体２が装着されている。面状発熱体２は布地３にヒータ線４を蛇行して配設、内蔵した構成を有している。面状発熱体２はシート１の背面と着脱可能な係合部５１〜５６によりシート１の背面に固定されている。
【００１６】
上記構成により、図１（ａ）のように、面状発熱体２全面をシート１背面に配設した場合、面状発熱体２に通電すると輻射熱により後席乗員の上体や下腿部、足元等を暖房することができる。
【００１７】
一方、図１（ｂ）は係合部５１、５４を外して面状発熱体２の上側の一部を離脱した場合の外観図で、離脱した面状発熱体２の上側の一部は後席乗員の膝掛として使用可能となる。この状態で面状発熱体２に通電すると、大腿部に対しては伝導熱による効率の良い暖房が、下腿部〜足元に対しては輻射熱による暖房が可能となり、収納性がよく、シンプルな構成で多様な暖房形態が実現できる。
【００１８】
（実施の形態２）
本発明の第２の実施の形態を図２を参照して説明する。
【００１９】
図２（ａ）は本発明の第２の実施の形態における車両用暖房装置の外観図である。図中、シート１には後席対向面に収納可能なトレイ６が配設されている。トレイ６には面状発熱体７を内蔵している。面状発熱体２はＰＴＣ特性を有した抵抗体を電極とともに樹脂シートに印刷したシート状の発熱体である。
【００２０】
上記構成により、図２（ａ）のように、トレイ６を収納している状態では面状発熱体２に通電は行なわない。一方、図２（ｂ）はトレイ６を使用するためにトレイ６を後席側に倒した場合の外観図で、トレイ６を倒すと面状発熱体２に通電されて、面状発熱体２からの輻射熱や伝導熱により大腿部が暖められる。体が暖まってトレイ６をシート１背面側に収納すると、面状発熱体２への通電は停止される。このように、トレイ６に面状発熱体２を配設して暖房を行なうので、収納性がよく、シンプルな構成で多様な暖房形態が実現できる。
【００２１】
（実施の形態３）
本発明の第３の実施の形態を図3を参照して説明する。
【００２２】
図３（ａ）は本発明の第３の実施の形態における車両用暖房装置の外観図である。図中
、シート１の背部には面状発熱体としての背当て７が配設されている。背当て７は布地８にヒータ線９を蛇行して配設して面状発熱体を構成している。背当て７はその少なくとも一部を跳ね上げて肩当てとしても使用できるよう、Ｕ字の切れ込み部１０を備えている。
【００２３】
上記構成により、シート１が図３（ａ）の状態で乗員が着座すると、背中の肩口から腰部にかけて接触暖房が可能となる。次に、図３（ｂ）は背当て７の少なくとも一部を跳ね上げて、着座している乗員の肩当て１１として使用した場合の外観図で、背当て７（面状発熱体）の少なくとも一部が肩当て１１として使えるので、肩当てによる保温と、肩口から首筋にかけての接触暖房が可能となる。暖房を行なわない時は、図３（ａ）の状態のままシート１を使えばよい。
【００２４】
このように本実施の形態の車両用暖房装置によれば、一つの面状発熱体によって背当てとして（背中の肩口から腰部にかけて）と肩当てとして（肩口から首筋にかけて）の２通りの暖房が可能となり、収納性がよく、シンプルな構成で多様な暖房形態が実現できる。
【００２５】
尚、上記第１〜第３の実施の形態では、暖房について述べたが、本実施の形態を夏場の車室内冷房時の冷え性対策として使用してもよい。
【産業上の利用可能性】
【００２６】
以上のように、本発明にかかる車両用暖房装置は、車室内のみならず、航空機や劇場等のさまざまな座席での多様な暖房に展開が可能である。
【図面の簡単な説明】
【００２７】
【図１】（ａ）本発明の第１の実施の形態における車両用暖房装置の外観図（ｂ）係合部５１、５４を外して面状発熱体２の上側の一部を離脱した場合の外観図
【図２】（ａ）本発明の第２の実施の形態における車両用暖房装置の外観図（ｂ）トレイ６を使用するために後席側に倒した場合の外観図
【図３】（ａ）は本発明の第３の実施の形態における車両用暖房装置の外観図（ｂ）背当て７の少なくとも一部を跳ね上げて着座している乗員の肩当てとして使用した場合の外観図
【符号の説明】
【００２８】
１  シート
２  面状発熱体
６  トレイ
７  背当て
１１  肩当て
【図１】
2009113620.tif 000003
【図２】
2009113620.tif 000004
【図３】
2009113620.tif 000005